(57)【特許請求の範囲】
【請求項１】
病室内の各病床に設けられたナースコール子機（６ａ、６ｂ、・・・、６ｎ）からの呼出種別、子機番号（ＳＮ1）、病室番号（ＲＮ1）、ベッド番号（ＢＮ1）等の呼出情報を前記病室毎に設置された集合廊下灯（４ａ、４ｂ、・・・、４ｎ）で検出し、前記呼出情報を廊下灯幹線（３）を介してナースコール制御機（２）へ送信し、前記ナースコール制御機で前記集合廊下灯からの前記呼出情報を受信し、各ナースコール子機ごとに設定された呼出表示テーブル（ＴＡ1）により、前記子機番号に対応する呼出表示データ（ＴＮ1）を参照してナースコール親機（１）に通報・表示するとともに、無線基地局（７）を介して無線子機（８）に前記ナースコール子機からの前記呼出情報を通報・表示するナースコール装置であって、
前記ナースコール制御機は、機器施工時に各ナースコール子機ごとに設定された前記呼出表示テーブルが作成されていないとき、前記集合廊下灯の設定部（５ａ、・・・、５ｎ）の操作により前記ナースコール子機ごとに仮に設定された前記病室番号に対応する集合廊下灯番号（ＣＮ）、及び前記集合廊下灯に接続されている前記ナースコール子機の前記子機番号を含む通信データを当該集合廊下灯から受信し、前記受信された通信データから抽出した前記集合廊下灯番号とベッド番号（ＢＮ）とを含む試験用呼出表示データ（ＴＮ）を生成して、施工時の動作確認を行う仮呼出表示テーブル（ＴＡ）として前記試験用呼出表示データを前記集合廊下灯番号と１対１の関係を有する前記子機番号に対応させて設けることを特徴とするナースコール装置。
【発明の詳細な説明】
【０００１】
【発明の属する技術分野】
本発明は、ナースコール装置に係わり、特に、ナースコール機器の施工時における動作確認を容易に行い得るナースコール装置に関する。
【０００２】
【従来の技術】
従来から、この種のナースコール装置として、図４に示すようなものが知られている。
【０００３】
図４は、従来のナースコール装置のシステム構成図を示している。同図において、従来のナースコール装置は、病室内の各病床に設けられたナースコール子機６０ａ、６０ｂ、・・・、６０ｎと、病室毎に設置され、複数のナースコール子機６０ａ、６０ｂ、・・・、６０ｎを収容する集合廊下灯４０ａ、・・・、４０ｎと、ナースコール制御機２０と、ナースステーションに設置されたナースコール親機１０と、無線基地局７０及び無線子機８０とを備えている。
【０００４】
ここで、複数のナースコール子機６０ａ、６０ｂ、・・・、６０ｎは、それぞれ、当該ナースコール子機６０ａ、６０ｂ、・・・、６０ｎが収容される集合廊下灯４０ａ、・・・、４０ｎに接続され、各集合廊下灯４０ａ、・・・、４０ｎは、廊下灯幹線３０を介してナースコール制御機２０に接続され、このナースコール制御機２０には、ナースコール親機１０及び無線基地局７０が接続されている。
【０００５】
図５は、従来のナースコール装置における呼出表示テーブルの説明図を示している。同図において、呼出表示テーブルＴＡ１０は、子機番号ＳＮ１０と、病室番号ＲＮ１０と、ベッド番号ＢＮ１０及び呼出表示データＴＮ１０とで構成されており、次のようにして作成される。
【０００６】
先ず、各病床に設けられるナースコール子機６０ａ、６０ｂ、・・・、６０ｎの子機番号ＳＮ１０は、予め、「１」、「２」・・・「ｎ」のように割り当てられている。
【０００７】
次に、複数のベッド（不図示）及び複数のナースコール子機６０ａ、６０ｂ、・・・、６０ｎを収容する病室の病室番号ＲＮ１０は、各集合廊下灯４０ａ、・・・、４０ｎに設けられている子機番号設定部５０ａ、・・・、５０ｎの操作によって、「１０１」号室、「１０２」号室・・・と設定される。また、各病室に収容されるベッドのベッド番号ＢＮ１０としては、ベッドが収容される個数に応じて番号が割り振られる。
【０００８】
呼出表示データＴＮ１０としては、病室番号ＲＮ１０にベッド番号ＢＮ１０を組合せた番号が割り振られ、この呼出表示データＴＮ１０により、病室番号ＲＮ１０及びベッド番号ＢＮ１０が特定され、ひいては、ベッドに設置されているナースコール子機６０ａ、６０ｂ、・・・、６０ｎの子機番号ＳＮ１０が特定されることになる。これにより、各ナースコール子機６０ａ、６０ｂ、・・・、６０ｎごとに設定された呼出表示テーブルＴＡ１０が得られる。
【０００９】
このようなナースコール装置において、例えば、病室１０１号室のベッド番号「１」のベッドに設置されているナースコール子機６０ａ、すなわち、子機番号「１」のナースコール子機６０ａから呼び出しがあると、呼出情報が、病室番号「１０１」の病室に設置された集合廊下灯４０ａで検出され、かかる呼出情報が廊下灯幹線３０を介してナースコール制御機２０へ送信される。ここで、呼出情報は、ナースコール子機６０ａからの呼び出しが緊急呼出か若しくは通常呼出か等の種別を示す呼出種別と、呼び出しが行なわれたナースコール子機６０ａを特定する子機番号「１」と、この子機番号「１」に対応する病室番号「１０１」及びベッド番号「１」とで構成されている。
【００１０】
そうすると、ナースコール制御機２０から、ナースコール親機１０に対して集合廊下灯４０ａからの呼出情報が送信され、これにより、ナースコール親機１０において、呼出種別に応じた呼出音、すなわち緊急呼出音若しくは通常呼出音の何れか一方の呼出音が鳴動すると共に、子機番号「１」に該当する位置の呼出表示灯が点滅する。
【００１１】
また、これと同時に、ナースコール制御機２０から、各ナースコール子機ごとに設定された呼出表示テーブルＴＡ1０により、子機番号「１」に対応する呼出表示データ「１０１−１」が参照され、無線基地局７０に対して、呼出種別と呼出表示データ「１０１−１」とで構成される呼出情報が送信される。
【００１２】
そうすると、無線基地局７０により、ナースコール制御機２０からの呼出情報に基づいて、無線子機８０が呼び出され、これにより、無線子機８０において、呼出情報で指定された呼出音が鳴動すると共に、同時に、指定された子機番号「１」に対応する呼出表示データ「１０１−１」が子機番号表示部９０に表示される。
【００１３】
以上の動作により、ナースコール子機６０ａからの呼出に対して、ナースコール親機１０の呼出表示灯の点滅位置によりナースコール子機６０ａの子機番号「１」が確認される。これにより、看護婦は、子機番号「１」のナースコール子機６０ａが設置されている病床にある患者と通話を行った後、呼出に対して必要な処理を行う。また、かかるナースコール子機６０ａからの呼出に対して、無線子機８０で応答する場合においては、子機番号表示部９０に表示された呼出表示データ「１０１−１」により、病室の病室番号「１０１」及びベッド番号「１」が確認されることから、看護婦は、上記と同様に、患者と通話を行ない、呼出に対して必要な処理を行う。
【００１４】
【発明が解決しようとする課題】
ところで、ナースコール装置においては、その施工時に、施工業者によって動作確認が行われるが、かかる動作確認を行なうためには、呼出表示データが予め確定している必要がある。
【００１５】
しかしながら、従来のナースコール装置においては、その施工時において、往々にして、呼出表示データを作成するための病室の病室番号が確定していない場合がある。このため、無線子機については、呼出表示データが存在しないことから、呼出音は鳴動するものの、何れのナースコール子機からの呼出しであるか否かを確認できないという難点があった。
【００１６】
本発明は、上述の難点を解消するためになされたもので、ナースコール制御機内に、各ナースコール子機ごとに設定された呼出表示テーブルが作成されていない場合であっても、自動的に試験用呼出表示データを作成して、ナースコール機器の施工時における動作確認を容易に行い得るナースコール装置を提供することを目的とする。
【００１７】
【課題を解決するための手段】
上記の目的を達成するため、本発明のナースコール装置は、病室内の各病床に設けられたナースコール子機からの呼出種別、子機番号、病室番号、ベッド番号等の呼出情報を病室毎に設置された集合廊下灯で検出し、呼出情報を廊下灯幹線を介してナースコール制御機へ送信し、ナースコール制御機で集合廊下灯からの呼出情報を受信し、各ナースコール子機ごとに設定された呼出表示テーブルにより、子機番号に対応する呼出表示データを参照してナースコール親機に通報・表示するとともに、無線基地局を介して無線子機にナースコール子機からの呼出情報を通報・表示するナースコール装置であって、ナースコール制御機は、機器施工時に各ナースコール子機ごとに設定された呼出表示テーブルが作成されていないとき、集合廊下灯の設定部の操作によりナースコール子機ごとに仮に設定された病室番号に対応する集合廊下灯番号、及び集合廊下灯に接続されているナースコール子機の子機番号を含む通信データを当該集合廊下灯から受信し、前記受信された通信データから抽出した集合廊下灯番号とベッド番号とを含む試験用呼出表示データを生成して、施工時の動作確認を行う仮呼出表示テーブルとして試験用呼出表示データを集合廊下灯番号と１対１の関係を有する子機番号に対応させて設けることを特徴としている。
【００１８】
本発明のナースコール装置によれば、ナースコール制御機によって、集合廊下灯番号設定部により設定される集合廊下灯番号及び集合廊下灯に接続されるナースコール子機のベッド数が読み取られ、ひいては、ナースコール制御機内で集合廊下灯番号及びベッド番号に基づいて試験用呼出表示データが生成されることから、ナースコール機器の施工時における動作確認を容易に行うことができる。
【００１９】
【発明の実施の形態】
以下、本発明のナースコール装置を適用した好ましい一実施例の形態について、図面を参照して説明する。
【００２０】
図１は、本発明のナースコール装置のシステム構成図を示している。同図において、本発明のナースコール装置は、病室内の各病床に設けられたナースコール子機６ａ、６ｂ、・・・、６ｎと、病室毎に設置され、複数のナースコール子機６ａ、６ｂ、・・・、６ｎを収容する集合廊下灯４ａ、・・・、４ｎと、ナースコール制御機２と、ナースステーションに設置されたナースコール親機１と、無線基地局７及び無線子機８とを備えている。
【００２１】
ここで、複数のナースコール子機６ａ、６ｂ、・・・、６ｎは、それぞれ、当該ナースコール子機６ａ、６ｂ、・・・、６ｎが収容される集合廊下灯４ａ、・・・、４ｎ接続され、各集合廊下灯４ａ、・・・、４ｎは、廊下灯幹線３を介してナースコール制御機２に接続され、このナースコール制御機２には、ナースコール親機１及び無線基地局７が接続されている。
【００２２】
次に、ナースコール機器の施工時における動作確認について説明する。先ず、初期設定を行う時点においては、呼出表示データが確定していないことから、ナースコール制御機２内のテーブルエリアには、予め既定値となっている子機番号以外のデータは登録されていない。従って、この段階においては、ナースコール装置の電源を投入しても、機器施工時における動作確認を行なうことはできない。そこで、本発明においては、かかる動作確認を行なうために、仮の呼出表示テーブルが作成される。
【００２３】
図２は、機器施工時における動作確認の際に作成される仮呼出表示テーブルの説明図を示している。同図において、仮呼出表示テーブルＴＡは、子機番号ＳＮと、集合廊下灯番号ＣＮと、ベッド番号ＢＮ及び試験用呼出表示データＴＮとで構成されており、次のようにして作成される。
【００２４】
先ず、各病床に設けられるナースコール子機６ａ、６ｂ、・・・、６ｎの子機番号ＳＮは、予め、「１」、「２」・・・「ｎ」、「ｎ＋１」のように割り当てられている。次に、複数のベッド（不図示）及び複数のナースコール子機６ａ、６ｂ、・・・、６ｎを収容する病室の病室番号は、機器施工時においては未決定であるため、設定することはできない。しかしながら、集合廊下灯番号ＣＮについては、集合廊下灯４ａ、・・・、４ｎが各病室に対応して設置されていることから、各集合廊下灯４ａ、・・・、４ｎに設けられている集合廊下灯番号設定部５ａ、・・・、５ｎの操作によって、「１」、「２」・・・、「ｍ」、「ｍ＋１」のように設定することができる。
【００２５】
しかして、この状態で、集合廊下灯４ａ、・・・、４ｎに対して、順次、状態確認を行なうことにより、ナースコール制御機２は、集合廊下灯４ａ、・・・、４ｎから返送されてくる通信データから、集合廊下灯番号ＣＮと、その集合廊下灯４ａ、・・・、４ｎに接続されているナースコール子機６ａ、６ｂ、・・・、６ｎの子機番号ＳＮとからベッド数を抽出することができる。これにより、通信データから抽出した集合廊下灯番号ＣＮと、その集合廊下灯番号ＣＮに対応するナースコール子機の子機番号ＳＮ及びベッド番号ＢＮとに基づいて、試験用呼出表示データＴＮが生成され、この試験用呼出表示データＴＮがナースコール制御装置２内のテーブルエリアに収納される。
【００２６】
上記の手順で生成された試験用呼出表示データＴＮは、機器施工時における動作確認において、集合廊下灯４ａ、・・・、４ｎに接続されたナースコール子機６ａ、６ｂ、・・・、６ｎの子機番号ＳＮと集合廊下灯番号ＣＮとが１対１の関係で対応していることから、仮の呼出表示データとして用いることができる。
【００２７】
次に、かかる仮の呼出表示データ、すなわち、試験用呼出表示データＴＮを利用して、ナースコール子機からの呼出を確認する方法について説明する。
【００２８】
先ず、例えば、集合廊下灯番号「１」の集合廊下灯に接続され、ベッド番号「１」のベッドに設置されているナースコール子機６ａ、すなわち、子機番号「１」のナースコール子機６ａから呼び出しがあると、呼出情報が、病室に設置された集合廊下灯４ａで検出され、かかる呼出情報が廊下灯幹線３を介してナースコール制御機２へ送信される。ここで、呼出情報は、ナースコール子機６ａからの呼び出しが緊急呼出か若しくは通常呼出か等の種別を示す呼出種別と、呼び出しが行なわれたナースコール子機６ａの子機番号「１」と、この子機番号「１」に対応する集合廊下灯番号「１」及びベッド番号「１」とで構成されている。
【００２９】
そうすると、ナースコール制御機２から、ナースコール親機１に対して集合廊下灯４ａからの呼出情報が送信され、これにより、ナースコール親機１において、呼出種別に応じた呼出音、すなわち緊急呼出音若しくは通常呼出音の何れか一方の呼出音が鳴動すると共に、子機番号「１」に該当する位置の呼出表示灯が点滅する。
【００３０】
また、これと同時に、ナースコール制御機２から、各ナースコール子機ごとに設定された仮呼出表示テーブルＴＡにより、子機番号「１」に対応する試験用呼出表示データ「１−１」が参照され、無線基地局７に対して、呼出種別及び上記の試験用呼出表示データ「１−１」とで構成される呼出情報が送信される。
【００３１】
そうすると、無線基地局７により、ナースコール制御機２からの呼出情報に基づいて、無線子機８が呼び出され、これにより、無線子機８において、呼出情報で指定された呼出音が鳴動すると共に、同時に、指定された子機番号「１」に対応する試験用呼出表示データ「１−１」が子機番号表示部９に表示される。
【００３２】
以上の動作により、ナースコール子機６ａからの呼出に対して、ナースコール親機１の呼出表示灯の点滅位置によりナースコール子機６ａの子機番号「１」が確認される。また、ナースコール子機６ａからの呼出に対して、無線子機８で応答する場合においては、子機番号表示部９に表示された試験用呼出表示データ「１−１」により、集合廊下灯番号「１」及びベッド番号「１」が確認される。
【００３３】
以上により、機器施工時における動作確認が行なわれるが、後日、病室番号が確定した場合においては、正式な呼出表示テーブルを作成し、これをナースコール制御装置２内のテーブルエリアに格納する。
【００３４】
図３は、病室番号が確定した後に作成される正式な呼出表示テーブルの説明図を示している。同図において、呼出表示テーブルＴＡ１は、子機番号ＳＮ１と、病室番号ＲＮ１と、ベッド番号ＢＮ１及び呼出表示データＴＮ１とで構成されている。なお、呼出表示テーブルＴＡ１は、基本的には、従来の呼出表示テーブルＴＡ１０と同様にして作成され、また、正式な呼出表示テーブルＴＡ１の作成後におけるナースコール装置も、従来のナースコール装置と同様に動作するので、その説明を省略する。
【００３５】
なお、前述の実施例においては、同一病室内に設けられるベッドが２個の場合について述べているが、本発明はこれに限定されず、例えば、同一病室内に設けられるベッドは１個でも、３個以上であっても、前述の実施例と同様の効果を奏する。
【００３６】
【発明の効果】
以上の説明から明らかなように、本発明によるナースコール装置によれば、機器施工時において、各ナースコール子機ごとに設定された呼出表示テーブルが作成されていない場合であっても、各ナースコール子機ごとに仮に設定された病室番号に対応する集合廊下灯番号、ベッド番号を含む試験用呼出表示データを作成し得ることから、機器の施工時における動作確認を容易に行うことができる。
【図面の簡単な説明】
【図１】  本発明によるナースコール装置の一実施例を示すシステム構成図。
【図２】  本発明によるナースコール装置における仮呼出表示テーブルの説明図。
【図３】  本発明によるナースコール装置における呼出表示テーブルの説明図。
【図４】  従来のナースコール装置の一実施例を示すシステム構成図。
【図５】  従来のナースコール装置における呼出表示テーブルの説明図。
【符号の説明】
１・・・・・ナースコール親機
２・・・・・ナースコール制御機
３・・・・・廊下灯幹線
４ａ、４ｂ、４ｎ・・・・・集合廊下灯
５ａ、・・・５ｎ・・・・・集合廊下灯番号設定部（設定部）
６ａ、６ｂ、６ｎ・・・・・ナースコール子機
７・・・・・無線基地局
８・・・・・無線子機
ＳＮ1・・・・・子機番号
ＲＮ1・・・・・病室番号
ＢＮ1・・・・・ベッド番号
ＴＡ1・・・・・呼出表示テーブル
ＴＮ1・・・・・呼出表示データ
ＣＮ・・・・・集合廊下灯番号
ＴＮ・・・・・試験用呼出表示データ
ＴＡ・・・・・仮呼出表示テーブル
【図１】
0004378027.tif 000002
【図２】
0004378027.tif 000003
【図３】
0004378027.tif 000004
【図４】
0004378027.tif 000005
【図５】
0004378027.tif 000006